(57)【要約】【課題】  中折れ現象が発生することなく原稿圧着板を開閉させることができる原稿圧着板開閉装置を提供する。【解決手段】  取付部材２と、取付部材２に回動可能に軸支された支持部材３と、支持部材３に重なり合うと共に支持部材３の自由端部に回動可能に軸支され、原稿圧着板１２に取り付けられるリフト部材４と、リフト部材４と取付部材２との間に設けられ、リフト部材４を支持部材３と重なり合う方向へ付勢すると共に原稿圧着板を開成方向に回転付勢する弾性手段とを備え、さらに、原稿圧着板１２の所定の開成角度範囲内において原稿圧着板１２の反転を阻止する係合手段６と、原稿圧着板１２の所定の開成角度範囲外において係合手段を解除させて原稿圧着板１２の反転を許容する係合解除手段９とを備えたことにより、前記の課題を解決した。【選択図】        図１
2008257167.tif 000002
【特許請求の範囲】
【請求項１】
原稿圧着板を有する事務機器の機器本体側に取り付けられる取付部材と、この取付部材に第１ヒンジピンを軸に回動可能に軸支された支持部材と、この支持部材に重なり合うと共にこの支持部材の自由端側に第２ヒンジピンを軸に前記支持部材とは逆方向へ回動可能に付勢されて軸支され、かつ、前記原稿圧着板に取り付けられるリフト部材と、前記支持部材を前記原稿圧着板の開成方向へ付勢する弾性手段とを備え、前記原稿圧着板を回転させて前記機器本体の上面を前記原稿圧着板で覆う閉成状態とその上面を露出させる開成状態とを形成する原稿圧着板開閉装置であって、
前記原稿圧着板の所定の開成角度範囲内において当該原稿圧着板の中折れを阻止する係合手段と、前記原稿圧着板の所定の開成角度範囲外において前記係合手段を解除させて前記原稿圧着板の反転を許容する係合解除手段とを設けたことを特徴とする、原稿圧着板開閉装置。
【請求項２】
前記係合手段は、前記支持部材及び前記リフト部材のいずれか一方に設けられる係合受部と、この係合受部と係合すると共に前記支持部材及び前記リフト部材のいずれか他方に移動可能に設けられる係合部とを備え、
前記係合解除手段は、前記支持部材に移動可能に設けられ、前記原稿圧着板を閉成方向に回転させてこの原稿圧着板が機器本体の上面に載置した原稿に接触する前に前記係合部を移動させてこの係合部と前記係合受部との係合を解除させる係合解除部材であることを特徴とする、請求項１に記載の原稿圧着板開閉装置。
【請求項３】
前記係合手段は、前記支持部材の上面に設けられた前記係合受部である貫通孔と、前記リフト部材に回動可能に設けられた回動部、及びこの回動部の周面から径方向外方に延び前記貫通孔に挿入されて係合するフック部を有する前記係合部であるフック部材と、このフック部材を前記フック部が前記係合受部に挿入されて係合するように付勢する付勢手段とを備えたことを特徴とする、請求項１又は２に記載の原稿圧着板開閉装置。
【請求項４】
前記リフト部材の上面に、前記フック部材が貫通する貫通孔を設け、この貫通孔の両側部の前記リフト部材の上面に、前記フック部材の回動部を回動可能に支持する支持ピンが軸支される一対の取付片を設け、この一対の取付片のいずれか一方の取付片に、前記付勢手段であるトーションスプリングが設けられ、このトーションスプリングの一端部が前記一方の取付片に係合されていると共に、このトーションスプリングの他端部が前記フック部材のフック部に係合されていることを特徴とする、請求項３に記載の原稿圧着板開閉装置。
【請求項５】
前記請求項１〜４のいずれか１項に記載の原稿圧着板開閉装置は、さらに、前記リフト部材に設けられ、前記弾性手段の一端部側に位置する作動部材と、前記取付部材に設けられ、前記弾性手段の他端部側に位置する受圧部材と、前記弾性手段の両端部に被せられ、前記作動部材と前記受圧部材とにそれぞれ当接しつつ前記支持部材内に摺動可能に収装されたバネ受け部材及びスライダーとを備え、前記バネ受け部材又は前記スライダーが、前記係合解除手段として作用するように構成したことを特徴とする、原稿圧着板開閉装置。
【請求項６】
前記請求項１に記載の原稿圧着板開閉装置は、さらに、前記リフト部材に設けられ、前記弾性手段の一端部側に位置すると共に、その弾性手段の一端部が当接して、前記第２ヒンジピンを軸に前記支持部材と重なり合う方向に前記リフト部材を回動付勢するための作動部材と、前記弾性手段の一端部に被せられ、前記作動部材に当接しつつ前記支持部材内に摺動可能に収装されたバネ受け部材とを備え、
前記係合手段は、前記支持部材に移動可能に設けられ、前記バネ受け部材と係合して前記バネ受け部材の前記弾性手段側への移動を防止して前記原稿圧着板の反転を阻止する係合部材と、この係合部材を前記バネ受け部材と係合する方向に付勢する付勢部材とを備え、
前記係合解除手段は、前記支持部材に移動可能に設けられ、前記原稿圧着板を閉成方向に回転させてこの原稿圧着板が機器本体の上面に載置した原稿に接触する前に前記係合部材を移動させてこの係合部材と前記バネ受け部材との係合を解除させる係合解除部材であることを特徴とする、原稿圧着板開閉装置。
【請求項７】
前記請求項６に記載の原稿圧着板開閉装置は、前記弾性手段の他端部に被せられ、前記取付部材に当接しつつ前記支持部材内に摺動可能に収装されたスライダーを備え、このスライダーが、前記係合解除部材として作用するように構成したことを特徴とする、原稿圧着板開閉装置。
【請求項８】
前記請求項１〜７のいずれか１項に記載の原稿圧着板開閉装置を備えたことを特徴とする、原稿圧着板を備えた事務機器。
【発明の詳細な説明】
【技術分野】
【０００１】
本発明は、複写機、印刷機、ファクシミリ、スキャナー等の原稿圧着板を備えた事務機器に用いて好適な原稿圧着板開閉装置及び原稿圧着板を備えた事務機器に関するものである。
【背景技術】
【０００２】
複写機、印刷機、ファクシミリ、スキャナー等の事務機器の機器本体には、その機器本体の上面後部に原稿圧着板が原稿圧着板開閉装置を介して開閉可能に取り付けられている。原稿圧着板開閉装置は、一種のヒンジ機構であり、原稿圧着板をヒンジ軸まわりに回動可能に軸支して、機器本体の上面のコンタクトガラス上に原稿圧着板を圧着させることができると共に、そのコンタクトガラスを露出させることができる。原稿をコンタクトガラス上にセットするには、原稿圧着板を上方に回転させてコンタクトガラスを露出（開放）させ、そのコンタクトガラス上に原稿を載置した後、原稿圧着板を閉じ、原稿圧着板で原稿をコンタクトガラス上に圧着させることにより、原稿をコンタクトガラス上にセットすることができる。
【０００３】
このような原稿圧着板開閉装置の中には、リフト部材及び圧縮コイルスプリングを設けて、厚さに関係なく原稿をコンタクトガラスに密着させることができると共に、圧縮コイルスプリングの付勢力により本来の重量を感じさせることなく原稿圧着板を回転させることができる原稿圧着板開閉装置が知られている（例えば、特許文献１参照。）。
【０００４】
特許文献１に記載されている原稿圧着板開閉装置は、事務機器の機器本体に取り付けられる取付部材と、この取付部材に第１ヒンジピンを介して回動可能に軸支された支持部材と、この支持部材に重なり合うと共に支持部材の自由端部に第２ヒンジピンを介して回動可能に軸支され、かつ、原稿圧着板に取り付けられるリフト部材と、取付部材とリフト部材との間に設けられ、リフト部材を支持部材と重なり合う方向へ付勢する圧縮コイルスプリングとを備えている。
【０００５】
これにより、厚物の原稿をコンタクトガラス上にセットした後に、原稿圧着板を閉成方向に回転させると、原稿の原稿圧着板開閉装置側の端部に原稿圧着板が接触して、原稿のその端部とは反対側の端部と原稿圧着板との間に空間が形成されて、手で持つ側の端部の原稿圧着板が浮いた状態となる。この浮いている原稿圧着板の端部近傍をコンタクトガラス側に押圧したり原稿圧着板の自重により、圧縮コイルスプリングがその付勢力に抗して縮みつつ第２ヒンジピンを軸に支持部材に対してリフト部材が回転する。その結果、原稿圧着板が第２ヒンジピンを軸に原稿の上部を覆うように回転して、原稿圧着板で原稿をコンタクトガラスに密着させることができると共に、原稿圧着板がコンタクトガラス上を覆うことができるので、厚さが厚い原稿を安定してコンタクトガラスに密着させることができた上で、外光が機器本体の内部へ侵入して露光が妨げられるのを極力防止することができるものである。
【０００６】
また、圧縮コイルスプリングの一端部が取付部材に当接されていると共にその他端部がリフト部材に当接されて、リフト部材が支持部材と重なり合うと共に原稿圧着板が開成方向に回転するように付勢されているので、原稿圧着板を開成方向に回転するときには、圧縮コイルスプリングの付勢力により本来の重量を感じさせることなく原稿圧着板を回転させることができる。
【特許文献１】特開平１１−９５３３９号公報
【発明の開示】
【発明が解決しようとする課題】
【０００７】
しかしながら、原稿圧着板を閉成方向に回転させるとき、その回転途中で圧縮コイルスプリングの付勢力に抗して第２ヒンジピンを軸に支持部材に対してリフト部材が回転する、いわゆる中折れ現象が発生することがある。その結果、原稿圧着板の閉成操作がスムーズに行われず、安定してコンタクトガラスに原稿を密着させることが困難になる場合があった。
【０００８】
本発明は、前記課題を解決するためになされたものであって、その目的は、中折れ現象が発生することなく原稿圧着板を開閉させることができる原稿圧着板開閉装置及び原稿圧着板を備えた事務機器を提供することにある。
【課題を解決するための手段】
【０００９】
前記の目的を達成するために本発明に係る原稿圧着板開閉装置は、原稿圧着板を有する事務機器の機器本体側に取り付けられる取付部材と、この取付部材に第１ヒンジピンを軸に回動可能に軸支された支持部材と、この支持部材に重なり合うと共にこの支持部材の自由端側に第２ヒンジピンを軸に前記支持部材とは逆方向へ回動可能に付勢されて軸支され、かつ、前記原稿圧着板に取り付けられるリフト部材と、前記支持部材を前記原稿圧着板の開成方向へ付勢する弾性手段とを備え、前記原稿圧着板を回転させて前記機器本体の上面を前記原稿圧着板で覆う閉成状態とその上面を露出させる開成状態とを形成する原稿圧着板開閉装置であって、前記原稿圧着板の所定の開成角度範囲内において当該原稿圧着板の中折れを阻止する係合手段と、前記原稿圧着板の所定の開成角度範囲外において前記係合手段を解除させて前記原稿圧着板の反転を許容する係合解除手段とを設けたことを特徴とする。
【００１０】
この発明によれば、原稿圧着板の所定の開成角度範囲内において当該原稿圧着板の反転を阻止する係合手段と、原稿圧着板の所定の開成角度範囲外において係合手段を解除させて原稿圧着板の反転を許容する係合解除手段とを備えたことで、原稿圧着板を開成状態から閉成状態になるように回転させるとき、原稿圧着板の所定の開成角度範囲内において原稿圧着板の反転が係合手段によって阻止されるので、中折れ現象が発生することなく原稿圧着板を回転させることが可能となる。
【００１１】
本発明に係る原稿圧着板開閉装置において、前記係合手段は、前記支持部材及び前記リフト部材のいずれか一方に設けられる係合受部と、この係合受部と係合すると共に前記支持部材及び前記リフト部材のいずれか他方に移動可能に設けられる係合部とを備え、前記係合解除手段は、前記支持部材に移動可能に設けられ、前記原稿圧着板を閉成方向に回転させてこの原稿圧着板が機器本体の上面に載置した原稿に接触する前に前記係合部を移動させてこの係合部と前記係合受部との係合を解除させる係合解除部材であることが好ましい。
【００１２】
また、本発明に係る原稿圧着板開閉装置において、前記係合手段は、前記支持部材の上面に設けられた前記係合受部である貫通孔と、前記リフト部材に回動可能に設けられた回動部、及びこの回動部の周面から径方向外方に延び前記貫通孔に挿入されて係合するフック部を有する前記係合部であるフック部材と、このフック部材を前記フック部が前記係合受部に挿入されて係合するように付勢する付勢手段とを備えることが好ましい。また、本発明に係る原稿圧着板開閉装置において、前記リフト部材の上面に、前記フック部材が貫通する貫通孔を設け、この貫通孔の両側部の前記リフト部材の上面に、前記フック部材の回動部を回動可能に支持する支持ピンが軸支される一対の取付片を設け、この一対の取付片のいずれか一方の取付片に、前記付勢手段であるトーションスプリングが設けられ、このトーションスプリングの一端部が前記一方の取付片に係合されていると共に、このトーションスプリングの他端部が前記フック部材のフック部に係合されていることが好ましい。
【００１３】
また、本発明に係る原稿圧着板開閉装置において、前記リフト部材に設けられ、前記弾性手段の一端部側に位置する作動部材と、前記取付部材に設けられ、前記弾性手段の他端部側に位置する受圧部材と、前記弾性手段の両端部に被せられ、前記作動部材と前記受圧部材とにそれぞれ当接しつつ前記支持部材内に摺動可能に収装されたバネ受け部材及びスライダーとを備え、前記バネ受け部材又は前記スライダーが、前記係合解除手段として作用するように構成することが好ましい。
【００１４】
また、本発明に係る原稿圧着板開閉装置において、さらに、前記リフト部材に設けられ、前記弾性手段の一端部側に位置すると共に、その弾性手段の一端部が当接して、前記第２ヒンジピンを軸に前記支持部材と重なり合う方向に前記リフト部材を回動付勢するための作動部材と、前記弾性手段の一端部に被せられ、前記作動部材に当接しつつ前記支持部材内に摺動可能に収装されたバネ受け部材とを備え、前記係合手段は、前記支持部材に移動可能に設けられ、前記バネ受け部材と係合して前記バネ受け部材の前記弾性手段側への移動を防止して前記原稿圧着板の反転を阻止する係合部材と、この係合部材を前記バネ受け部材と係合する方向に付勢する付勢部材とを備え、前記係合解除手段は、前記支持部材に移動可能に設けられ、前記原稿圧着板を閉成方向に回転させてこの原稿圧着板が機器本体の上面に載置した原稿に接触する前に前記係合部材を移動させてこの係合部材と前記バネ受け部材との係合を解除させる係合解除部材であることが好ましい。また、本発明に係る原稿圧着板開閉装置において、前記弾性手段の他端部に被せられ、前記取付部材に当接しつつ前記支持部材内に摺動可能に収装されたスライダーを備え、このスライダーが、前記係合解除部材として作用するように構成したことが好ましい。
【００１５】
また、前記の目的を達成するために本発明に係る原稿圧着板を備えた事務機器は、前記の本発明に係る原稿圧着板開閉装置を備えたことを特徴とする。この発明によれば、前述と同様に、原稿圧着板の所定の開成角度範囲内において当該原稿圧着板の反転を阻止する係合手段と、原稿圧着板の所定の開成角度範囲外において係合手段を解除させて原稿圧着板の反転を許容する係合解除手段とを備えたので、中折れ現象が発生することなく原稿圧着板を開閉させることができる。
【発明の効果】
【００１６】
以上説明したように本発明に係る原稿圧着板開閉装置及び事務機器によれば、原稿圧着板の所定の開成角度範囲内において当該原稿圧着板の反転を阻止する係合手段と、原稿圧着板の所定の開成角度範囲外において係合手段を解除させて原稿圧着板の反転を許容する係合解除手段とを備えたので、中折れ現象が発生することなく原稿圧着板を開閉させることができる。
【発明を実施するための最良の形態】
【００１７】
以下、本発明に係る原稿圧着板開閉装置及び原稿圧着板を備えた事務機器を添付図面に基づいて詳述する。
【００１８】
図１〜図３は本発明に係る原稿圧着板開閉装置の一例を示す図である。本発明に係る原稿圧着板開閉装置は、図１及び図２に示すように、事務機器１０の機器本体１１の後端部に、原稿圧着板１２を開閉可能に取り付けるものである。事務機器１０としては、特に限定されず、例えば、複写機、印刷機、ファクシミリ、スキャナー等が挙げられ、特に複写機が好ましいものとして挙げられるが、特に限定せずに説明する。また、原稿圧着板１２の上部には原稿自動送り装置（図示せず）が設けられているものがあるが、本発明に係る原稿圧着板開閉装置及び事務機器は、原稿自動送り装置が設けられていても設けられていなくても両方に適用可能なものである。
【００１９】
本発明に係る第１の原稿圧着板開閉装置１は、図１〜図３に示すように、原稿圧着板１２を有する事務機器１０の機器本体１１側に取り付けられる取付部材２と、この取付部材２に第１ヒンジピン１５を軸に回動可能に軸支された支持部材３と、この支持部材３に重なり合うと共にこの支持部材３の自由端部に第２ヒンジピン１６を軸に回動可能に軸支され、かつ、原稿圧着板１２に取り付けられるリフト部材４と、このリフト部材４と取付部材２との間に設けられ、リフト部材４を支持部材３と重なり合う方向へ付勢すると共に原稿圧着板１２を開成方向に回転付勢する弾性手段５とを備え、原稿圧着板１２を回転させて機器本体１１の上面を原稿圧着板１２で覆う閉成状態とその上面を露出させる開成状態とを形成するものである。この本発明に係る第１の原稿圧着板開閉装置１は、原稿圧着板１２の所定の開成角度範囲内において当該原稿圧着板１２の反転を阻止する係合手段６と、原稿圧着板１２の所定の開成角度範囲外において係合手段６を解除させて原稿圧着板１２の反転を許容する係合解除手段９とを備えたことに特徴がある。
【００２０】
取付部材２は、例えば、機器本体１１に取り付けられる底板２１と、底板２１の両側端部からそれぞれ底板２１に対して直交する方向（略直交する方向も含む。）に延びる両側板２２と、底板２１の一端部（後端部）から底板２１に対して直交する方向（略直交する方向も含む。）に延びる略矩形状の後板２３とからなる。
【００２１】
底板２１は、略矩形状に形成され、ネジやビス等で機器本体１１に取り付けられる。側板２２には、第１ヒンジピン１５が例えば回り止め付きの軸受け（図示せず）を介して挿通されるシャフト孔２５が設けられている。側板２２のシャフト孔２５より前方で、かつ、下側（下方）に偏した位置には、受圧ピン１７が挿通される受圧ピン孔２６が設けられている。受圧ピン１７は、カムスライダー５２の底部の外面が当接する受圧部材であり、この受圧部材は、受圧ピン１７等のピンに限定されず、ローラ例えば受圧ローラでもよい。
【００２２】
支持部材３は、図５に示すように、例えば、天板である上板３１と、上板３１の両側端部からそれぞれ上板３１に対して直交する方向（略直交する方向も含む。）に延びる両側板３２と、側板３２の先端部を互いに対向する側に略９０°折り曲げてなる抱持板３３とからなることが好ましい。これらの上板３１、両側板３２、抱持板３３で収容部３４が構成されている。
【００２３】
両側板３２の一端部（後端部）には、シャフト挿通孔３５がそれぞれ設けられている。これらシャフト挿通孔３５と取付部材２の両側板２２のシャフト孔２５とが孔合わせされると共にこれら孔３５、２５の間すなわち支持部材３の側板３２と取付部材２の側板２２との間に例えばワッシャー（図示せず）が設けられて、これら孔３５、２５及びワッシャーに第１ヒンジピン１５が挿通されることによって、支持部材３が取付部材２に対して第１ヒンジピン１５を軸に回動可能に連結されている。
【００２４】
また、両側板３２の他端部（前端部）には、第２ヒンジピン１６が挿通される第２ヒンジピン孔３６が設けられていると共に、後述する作動ピン１８が入り込む切欠部３７が設けられている。また、両側板３２には、例えば、支持部材３に対するリフト部材４の回動を行うための摺接部３９がそれぞれ突出されている。摺接部３９は、例えば、両側板３２の第２ヒンジピン孔３６と切欠部３７との間に略円状に２つ形成されている。これらの摺接部３９は、リフト部材４の側板４２の内面に接して支持部材３の側板３２の外面とリフト部材４の側板４２の内面との間にクリアランスを設けることにより、支持部材３に対するリフト部材４の回動が良好に行われるようになっている。なお、摺接部３９は、略円状に形成したが、これに限定されず、円状以外の形状、例えば、円弧状等に形成してもよい。また、摺接部３９のかわりに支持部材３とリフト部材４との間にワッシャー等を設けるようにしてもよい。
【００２５】
リフト部材４は、厚さが厚い原稿も機器本体１１の上面に安定して圧着させるためのものである。リフト部材４は、図６に示すように、例えば、原稿圧着板１２の後端側にネジやビス等で取り付けられる第１取付孔４８を有する矩形平板状の上板４１と、この上板４１の両端部からそれぞれ上板４１に対して直交する方向（略直交する方向も含む。）に延びる両側板４２とから略コ字状であって支持部材３を覆うように形成されている。
【００２６】
両側板４２の一端部（前端部（取付部材２とは反対側の端部））近傍には、第２ヒンジピン挿通孔４６が設けられていると共に、第２ヒンジピン挿通孔４６のより下方であって後方（後端部側）には作動部材である作動ピン１８が挿通される作動ピン孔４７が設けられている。第２ヒンジピン挿通孔４６と支持部材３の両側板３２の第２ヒンジピン孔３６とが孔合わせされてこれら孔４６、３６、に第２ヒンジピン１６が挿通されることによって、リフト部材４と支持部材３とが第２ヒンジピン１６を軸に互いに回動可能に連結されている。また、両側板４２の作動ピン孔４７に作動ピン１８が挿通されて取り付けられている。
【００２７】
弾性手段５は、図１及び図２に示すように、原稿圧着板１２を開成方向に回転付勢すると共に、リフト部材４を支持部材３と重なり合う方向へ付勢し、かつ、原稿圧着板１２が任意の回動角度以下のとき、原稿圧着板１２を付勢する弾力が原稿圧着板１２のモーメントより小さいものである。なお、本発明において開成方向とは、原稿圧着板１２を回転させる際に原稿圧着板１２が機器本体１１の上部のコンタクトガラス（図示せず）から離間する方向をいう。本発明において閉成方向とは、開成方向とは反対の方向で原稿圧着板１２を回転させる際に原稿圧着板１２がコンタクトガラスに近づく方向をいう。本発明における回動角度とは、機器本体１１の上面であるコンタクトガラス面に対する原稿圧着板１２の角度である。本発明における任意の回動角度とは、弾性手段５の付勢力により任意に設定されるもので、例えば、弾性手段５による原稿圧着板１２を付勢する付勢力が原稿圧着板１２のモーメントより小さくなる角度で、例えば略２０°以下の角度である。
【００２８】
弾性手段５は、特に限定されないが、例えば、圧縮コイルスプリング５１である。圧縮コイルスプリング５１は、支持部材３内に挿入されて作動ピン１８と受圧ピン１７との間に弾設されている。圧縮コイルスプリング５１と作動ピン１８との間には、バネ受け部材５３が設けられていると共に、圧縮コイルスプリング５１と受圧ピン１７との間には、スライダーであるカムスライダー５２が設けられている。圧縮コイルスプリング５１は、実施例では作動ピン１８と受圧ピン１７との間に弾設されているが、このものに限定されず、圧縮コイルスプリングを取付部材２と支持部材３の自由端との間に弾設し、リフト部材をトーションスプリングを用いて、独自に支持部材と重なり合う方向へ付勢させるように構成したものにも適用できる。
【００２９】
圧縮コイルスプリング５１は、その個数は特に限定されず、１個でも２個以上でもよく、バネ受け部材５３及びカムスライダー５２をそれぞれ互いに離間する方向に付勢するものである。圧縮コイルスプリング５１は、原稿圧着板１２を開成方向に回転付勢すると共に、原稿圧着板１２が任意の回動角度（例えば、略２０°）以下のとき、原稿圧着板１２を付勢する弾力が原稿圧着板１２のモーメントより小さくなるものである。
【００３０】
バネ受け部材５３及びカムスライダー５２は、図１〜図３に示すように、断面矩形の有底筒体状に形成されている。これらのバネ受け部材５３及びカムスライダー５２は、互いの開口部が向き合うと共にこれらの間に圧縮コイルスプリング５１の両端部が収容された（被せられた）状態で支持部材３の収容部３４にそれぞれ個別に摺動可能に収装されている。バネ受け部材５３及びカムスライダー５２は、取付部材２の底板２１と支持部材３（上板３１）が略平行になっているとき（例えば機器本体１１の上面のコンタクトガラス上に原稿圧着板１２を密着させたとき（原稿圧着板１２が閉成位置にあるとき））、支持部材３の収容部３４内に嵌合される長さで形成されている。
【００３１】
バネ受け部材５３が圧縮コイルスプリング５１の付勢力によって作動ピン１８を押圧して、支持部材３とリフト部材４とが重なり合うように付勢する。すなわち、圧縮コイルスプリング５１の付勢力によってリフト部材４の上板４１が支持部材３の上板３１の一部である当接部３１ａに当接又は近接するようになっている。このとき、上板４１が例えばコンタクトガラスに対して略平行になるようになっていることが好ましい。なお、支持部材３の上板３１にリフト部材４の上板４１を当接又は近接するようにしてもよい。
【００３２】
カムスライダー５２の底部（閉塞部ということがある。）の外表面の略中央部には、突部５２ａが設けられている。この突部５２ａは、支持部材３の上板３１に略平行に延びて形成されている。突部５２ａより上板３１側のカムスライダー５２の底部外表面は、後述するストッパー孔３８にストッパーピン（図示せず）が挿通されている場合には、そのストッパーピンが当接するピン当接部５２ｃとして形成されている。突部５２ａの下方は漸次傾斜された傾斜部５２ｂとして形成されている。このカムスライダー５２の底部の外表面の突部５２ａ及び傾斜部５２ｂが１種のカムとして形成されている。
【００３３】
すなわち、閉成位置にある原稿圧着板１２（図１参照。）を開成方向に第１ヒンジピン１５を軸に回転させると、原稿圧着板１２と共に支持部材３が第１ヒンジピン１５を軸に回転して第１ヒンジピン１５の下方に位置される受圧ピン１７に当接するカムスライダー５２の箇所が突部５２ａから傾斜部５２ｂへと徐々に摺動すると共に、受圧ピン１７と作動ピン１８との間隔が広がり支持部材３に対してカムスライダー５２が圧縮コイルスプリング５１によって後端部側へと摺動し、圧縮コイルスプリング５１が徐々に伸びる。そして、原稿圧着板１２が最大使用開放角度（例えば、略６０°〜略７０°）になると（図２参照。）、その開閉が原稿圧着板開閉規制機構（図示せず）によって規制されるようになっている。なお、図１及び図２中、符号５５は延出片を示している。この延出片５５は、例えば、カムスライダー５２の幅より若干短い寸法の幅で形成されていることが好ましい。これにより、受圧ピン１７の外表面にカムスライダー５２との摺接を円滑にする潤滑用のグリスが塗布されていても、延出片５５が受圧ピン１７の外周の大部分を覆うために、原稿圧着板１２によって押圧されることによって変形した原稿の端部が受圧ピン１７へはみ出しても、この端部がグリスが塗布されている受圧ピン１７に接触して汚れてしまうことはないようになっている。
【００３４】
また、支持部材３の両側板３２に、ストッパー孔３８を設けてもよい。このストッパー孔３８は、カムスライダー５２が圧縮コイルスプリング５１の付勢力によってシャフト挿通孔３５を塞ぐことを阻止するために設けられたもので、特に組立時に有効に利用されるものである。ストッパー孔３８の位置は、支持部材３の自由端部とシャフト挿通孔３５との間であれば特に限定されないが、取付部材２のシャフト孔２５と支持部材３のシャフト挿通孔３５との孔合わせをした際に、カムスライダー５２の端面が受圧ピン１７に当接して邪魔にならない位置であれば特に限定されるものではない。その結果、支持部材３のシャフト挿通孔３５と取付部材２のシャフト孔２５との孔合わせ及びこれらの孔３５、２５への第１ヒンジピン１５の挿通が容易となり、組立性が向上する。
【００３５】
圧縮コイルスプリング５１内には、ダンパー装置（図示せず）が設けられていることが好ましい。このダンパー装置は、原稿圧着板１２が閉成方向に回転したとき、原稿圧着板１２の任意の回動角度以下の特定の回動角度以下（例えば略１０°以下）においてのみその原稿圧着板１２の回転速度を低減させるように動作するものである。ダンパー装置は、例えば、オイルダンパ装置等である。なお、ダンパー装置を設けるようにしたが、これに限定されず、ダンパー装置を設けなくてもよいし、他の装置等によって特定の回動角度以下（例えば略１０°以下）においてのみその原稿圧着板１２の回転速度を低減させるようにしてもよい。
【００３６】
係合手段６は、図１〜図４に示すように、原稿圧着板１２の所定の開成角度範囲内において原稿圧着板１２の反転を阻止するものである。この係合手段６は、特に限定されず、例えば、支持部材３及びリフト部材４のいずれか一方（例えば、支持部材３）に設けられる係合受部７と、この係合受部７と係合すると共に支持部材３及びリフト部材４のいずれか他方（例えば、リフト部材４）に移動可能に設けられる係合部８とを備えてなることが好ましい。なお、本発明において所定の開成角度範囲とは、機器本体上に厚さが厚い原稿を載置して原稿圧着板を閉じるときに、原稿圧着板が第２ヒンジピンを軸に原稿の上部を覆うように回転して、原稿圧着板で原稿をコンタクトガラスに安定して密着させるいわゆるリフト動作がし得る開成角度が含まれていない角度範囲で、例えば、略３０°〜略６０°の角度範囲である。係合受部７は、特に限定されず、例えば、支持部材３の上板３１に設けられた矩形状の貫通孔として形成されている。
【００３７】
係合部８は、例えば、リフト部材４に移動可能に設けられる。リフト部材４の上板４１の略中央部には、取付部材２側に突出した凸状の貫通孔４５が設けられている。この貫通孔４５の近傍の４箇所の上板４１には、ネジ溝を有する第２取付孔４９が設けられている。この上板４１の貫通孔４５の両側部には、一対の取付片６１、６２がビス等により第２取付孔４９を介して取り付けられている。一対の取付片６１、６２は、貫通孔４５を介して略対称に形成されている。一対の取付片６１、６２は、図７及び図８に示すように、上板４１に面接触すると共にビス等が挿入される貫通孔６１ｃ、６２ｃが両端部に設けられている基部６１ａ、６２ａと、この基部６１ａ、６２ａの対向する取付片６２、６１側の側端部を互いに対向するように略９０°に折り曲げられてなると共に、シャフト挿通孔６１ｄ、６２ｄを有するシャフト支持部６１ｂ、６２ｂとからなる。一対の取付片のいずれか一方の取付片（第１取付片６１ということがある。）の対向する面には、バネ取付部６１ｅが設けられていると共に、バネ当接部６１ｆが設けられている。また、一対の取付片６１、６２のシャフト支持部６１ｂ、６２ｂのシャフト挿通孔６１ｄ、６２ｄにシャフト６３が挿通されて取り付けられている。このシャフト６３に係合部８であるフック部材８０が回動可能に支持されている。
【００３８】
フック部材８０は、図１〜図４及び図９に示すように、例えば、シャフト６３の軸回りに回動可能に支持される略円筒状の回動部８１と、この回動部８１の周面から径方向外方に延び、リフト部材４の上板４１の貫通孔４５を貫通すると共に、先端部が取付部材２側に曲がった鉤状のフック部８２とからなる。フック部８２は、上板４１の貫通孔４５を貫通してこの上板４１に対して略直交する方向に位置されると、貫通孔４５の取付部材２側の端部に当接して、フック部材８０の取付部材２側への回転が規制されるようになっている。フック部８２の先端部は、取付部材２側に曲がって形成されて、支持部材３の上板３１の係合受部７（係合受部７の取付部材側の端部）に係合して、リフト部材４は、支持部材３に対して第２ヒンジピン１６を軸に回転することなく支持部材３に重ね合わされた状態で支持部材３と共に第１ヒンジピン１５を軸に回転するようになっている。なお、係合部８は、フック部材８０に限定されず、他の部材等であってもよい。
【００３９】
第１取付片６１には、付勢部材であるトーションスプリング６５が取り付けられている。トーションスプリング６５は、第１取付片６１のバネ取付部６１ｅに取り付けられている。このトーションスプリング６５の一端部がバネ当接部６１ｆに当接されていると共にトーションスプリング６５の他端部がフック部材８０のフック部８２に当接されており、フック部材８０はフック部８２が貫通孔４５の取付部材２側の端部に当接するように付勢される、すなわち、係合受部７に係合するように付勢されるようになっている。なお、付勢部材は、フック部材８０を係合受部７と係合するように付勢することができれば、トーションスプリング６５に限定されず、他の付勢部材を用いてもよい。また、トーションスプリング６５の一端部をバネ当接部６１ｆに当接させると共に他端部をフック部８２に当接させてフック部材８０を付勢するようにしたが、フック部材８０の付勢を行えればどのように構成してもよく、例えば、フック部にスプリングの端部を挿入する挿入孔を設けて、この挿入孔にトーションスプリング６５の他端部を挿入してフック部材８０を付勢するようにしてもよい。
【００４０】
係合解除手段９は、原稿圧着板１２の所定の開成角度範囲外（リフト動作をし得る角度範囲）において係合手段６を解除させて原稿圧着板１２の反転を許容するものである。すなわち、係合解除手段９は、例えば、原稿圧着板１２を閉成方向に回転させてこの原稿圧着板１２が機器本体１１の上面に載置した原稿に接触する前に係合部８であるフック部材８０を移動させてフック部材８０と係合受部７との係合を解除させるものである。係合解除手段９としては、特に限定されないが、例えば、バネ受け部材５３やカムスライダー５２、図示例では、カムスライダー５２を係合解除部材として兼用するようにしてもよい。
【００４１】
すなわち、カムスライダー５２は、支持部材３にその長手方向に摺動可能に設けられ、例えば、回動角度が略４５°以上のとき、フック部材８０のフック部８２より取付部材２側の支持部材３に位置されて、フック部材８０が係合受部７に係合されている。また、回動角度が略４５°のとき、カムスライダー５２の先端部が係合受部７に係合されているフック部材８０のフック部８２の先端部に当接し、回動角度が略４５°から原稿圧着板１２が閉成方向に回転すると、支持部材３に対してカムスライダー５２が後部側から前部側に摺動しつつフック部８２をトーションスプリング６５の付勢力に抗して係合受部７との係合を解除する方向にシャフト６３を軸に回転させ、原稿圧着板１２が機器本体１１の上面に載置した原稿に接触するとき又は接触する前に、フック部材８０と係合受部７との係合が解除されて支持部材３に対して第２ヒンジピン１６を軸にリフト部材４が回動し得るように構成されている。フック部材８０の取付位置、係合受部７の位置、カムスライダー５２の形状等を変えることによりそのリフト部材４が回動し得る回動角度を任意の角度に設定することができる。
【００４２】
次に、本発明に係る第１の原稿圧着板開閉装置１及び事務機器１０の作用を説明する。
【００４３】
原稿圧着板１２は、機器本体１１が使用されていない状態では、図１に示すように、機器本体１１のコンタクトガラスに密着されている。コンタクトガラス上に原稿を載置するには、まず、リフト部材４が取り付けられている箇所とは反対側の原稿圧着板１２の端部又はその近傍等に設けられている把持部を持って、原稿圧着板１２を上方に持ち上げる。すなわち、原稿圧着板１２を第１ヒンジピン１５を軸にのみ回転させてコンタクトガラス面を外部に露出させる。このように原稿圧着板１２を回転させるとき、原稿圧着板１２は、圧縮コイルスプリング５１の付勢力によって開成方向に回転付勢されているので、重量を感じさせることなく開成方向に回転することができる。
【００４４】
また、閉成状態では、フック部材８０のフック部８２の先端部がカムスライダー５２の外周に当接してフック部材８０と係合受部７とが係合していない（図１、図３（ｂ）及び図４（ａ）参照。）が、原稿圧着板１２が開成方向に回転すると、受圧ピン１７が第１ヒンジピン１５より下方に位置されているので、作動ピン１８と受圧ピン１７との間隔がその回転に伴って広くなって、支持部材３に対してカムスライダー５２が後方側へと摺動することになる。このようにカムスライダー５２が支持部材３内を移動すると、フック部材８０のフック部８２の先端部はカムスライダー５２の外周に当接していた状態からカムスライダー５２の先端部に当接して係合受部７に係合する（例えば、図３（ｃ）及び図４（ｂ）、（ｃ）参照。）。従って、フック部材８０と係合受部７とは閉成状態では係合されていないが、原稿圧着板１２が開成方向に回転する途中でフック部材８０と係合受部７とが係合することになる。
【００４５】
露出したコンタクトガラス面上に原稿を載置した後、持ち上げた原稿圧着板１２を降ろす。すなわち、原稿圧着板１２を閉成方向に第１ヒンジピン１５を軸に回転させて閉成状態にする。このように、原稿圧着板１２を回転させる場合、フック部材８０と係合受部７とが係合しているので、リフト部材４が支持部材３に対して第２ヒンジピン１６を軸に回転することがない。よって、リフト部材４（原稿圧着板１２）は支持部材３と共に第１ヒンジピン１５を軸にのみ回転するので、中折れ現象が発生することなく原稿圧着板１２を回転させることができる。特にリフト軸ピッチ（第２ヒンジピン１６と作動ピン１８との間隔）を短くしても中折れ現象が発生することなく原稿圧着板１２を開閉させることができる。
【００４６】
また、原稿圧着板１２の回動角度が例えば略２０°以下になると、原稿圧着板１２の重量による原稿圧着板１２の下方への回転する力が圧縮コイルスプリング５１の付勢力より強くなるので、原稿圧着板１２は下方に移動する。原稿圧着板１２の回動角度が特定の回動角度例えば略１０°になると、ダンパー装置のピストンロッドの先端がカムスライダー５２の内面に当接して、ピストンロッドがシリンダ内に移動してピストンロッドの露出長が短くなり、原稿圧着板１２の回転速度が低減される。その結果、原稿圧着板１２の回転速度がダンパー装置によって制御されるので、原稿圧着板１２が勢いよくコンタクトガラスに衝突することがない。
【００４７】
原稿圧着板１２が閉成状態になると、原稿が薄い紙である場合には、原稿圧着板１２によって原稿をコンタクトガラス上から浮き上がることなく確実にコンタクトガラスに密着させることができるので、原稿を良好に複写等することができる。すなわち、原稿圧着板１２とコンタクトガラスとの間に光が入らないように原稿圧着板１２がコンタクトガラスに密着されて、原稿を良好に複写等することができる。
【００４８】
また、原稿が本のように厚さが厚い場合、原稿圧着板１２を閉成方向に回転させると、原稿圧着板１２が原稿１４に接触する前にフック部材８０が回転移動してフック部材８０と係合受部７との係合が解除される（図４（ｂ）参照。）。すなわち、開成状態では、フック部材８０のフック部８２が係合受部７に係合している（例えば、図３（ｄ）及び図４（ｄ）参照。）が、原稿圧着板１２が第１ヒンジピン１５を軸に閉成方向に回転すると、受圧ピン１７が第１ヒンジピン１５より下方でかつ前方に位置されているので、作動ピン１８と受圧ピン１７との間隔がその回転に伴って狭くなって、支持部材３に対してカムスライダー５２が前方側へと摺動することになる。このカムスライダー５２の移動により、まず、カムスライダー５２の先端部が係合受部７に係合しているフック部材８０のフック部８２の先端部に当接し（例えば、図３（ｃ）及び図４（ｃ）参照。）、その後、このフック部８２をトーションスプリング６５の付勢力に抗して係合受部７との係合を解除する方向にシャフト６３を軸にフック部材８０が回転する。そして、原稿圧着板１２が機器本体１１の上面に載置した原稿１４に接触するとき又は接触する前に、フック部材８０と係合受部７との係合が解除されて支持部材３に対して第２ヒンジピン１６を軸にリフト部材４が回動し得るようになっている（例えば、図４（ｂ）参照。）。
【００４９】
このため、原稿圧着板１２を閉成方向に回転させたときに、原稿１４の支持部材３側の端部又はその近傍に原稿圧着板１２の支持部材３の近傍の一部が接触し、原稿１４の支持部材３側の端部とは反対側の端部と原稿圧着板１２との間に空間が形成される。すなわち、把持部側の端部の原稿圧着板１２は浮いた状態となる。その浮いている原稿圧着板１２の例えば把持部側の端部近傍をコンタクトガラス側に押圧したり原稿圧着板１２の自重により、作動ピン１８がバネ受け部材５３をカムスライダー５２側に押圧して圧縮コイルスプリング５１の付勢力に抗してバネ受け部材５３がカムスライダー５２側に移動すると共に、原稿圧着板１２（リフト部材４）が第２ヒンジピン１６を軸に回転する。つまり、原稿１４の上部を覆うように原稿圧着板１２が移動する。例えば、その原稿１４の上部が平坦面である場合には、この上部に原稿圧着板１２が面接触する。その結果、厚さが厚い原稿１４が安定してコンタクトガラスに密着されることになる。よって、原稿圧着板１２は、原稿の厚さに関係なく原稿を安定してコンタクトガラスに密着することができ、原稿を良好に複写等することができる。
【００５０】
したがって、本発明に係る第１の原稿圧着板開閉装置１及び事務機器１０は、中折れ現象が発生することなく原稿圧着板１２を回転させることができると共に、原稿の厚さに関係なく原稿を安定して機器本体１１の上面に密着させることができ、複写等を良好に行える。
【００５１】
なお、本発明の実施の形態では、一対の取付片６１、６２をビス等により上板４１上に取り付けたが、これに限定されず、上板の一部を切り欠いて適宜折り曲げる等して上板と一体的に一対の取付片を形成するようにしても良い。具体的には例えば、図１０及び図１１に示すように、リフト部材４の上板４１の略中央部に略矩形状の貫通孔１４５が設けられている。この貫通孔１４５の両側部が互いに上方に略９０°に折り曲げられて一対の取付片１６１、１６２が形成されている。一対の取付片１６１、１６２の上端部の後端部側は、内側（互いに対向側）に略９０°に折り曲げられて当接部１６１ａ、１６２ａとして形成されている。また、一対の取付片１６１、１６２には、シャフト挿通孔１６１ｂ、１６２ｂがそれぞれ設けられ、これらシャフト挿通孔１６１ｂ、１６２ｂにシャフト１６３が挿通されている。このシャフト１６３に係合部８であるフック部材１８０が回動可能に支持されている。
【００５２】
フック部材１８０は、前記のフック部材８０と大体同じように形成されている。このフック部材１８０としては、図１０及び図１２に示すように、例えば、シャフト１６３の軸回りに回動可能に支持される略円筒状の回動部１８１と、この回動部１８１の一端部側の外周が縮径されて形成されるバネ装着部１８３と、回動部１８１の周面から径方向外方に延び、リフト部材４の上板４１の貫通孔１４５を貫通すると共に、先端部が取付部材２側に曲がった鉤状のフック部１８２と、回動部１８１の周面のフック部１８２から略９０°ずれた位置にその径方向外方に延びて設けられ、フック部１８２が上板４１に対して略直交する方向に位置されたとき、バネ装着部１８３と反対側の取付片１６２の当接部１６２ａに当接してフック部材１８０の取付部材２側への回転が規制される回転規制部１８４とを備えてなる。
【００５３】
また、フック部１８２の前方のバネ装着部１８３側の側部がバネ装着部１８３上に突出してバネ当接部１８５として形成されている。このバネ装着部１８３に、付勢部材であるトーションスプリング１６５が取り付けられている。トーションスプリング１６５の一端部がバネ装着部１８３側の取付片１６１の当接部１６１ａに当接されていると共に、トーションスプリング１６５の他端部がフック部１８２のバネ当接部１８５に当接されており、フック部材１８０はフック部１８２が支持部材３の係合受部７の取付部材２側の端部に当接するように付勢される、すなわち、係合受部７に係合するように付勢されるようになっている。このように構成しても、前述と同様に中折れ現象が発生することなく原稿圧着板１２を回転させることができる。
【００５４】
図１３〜図１８は本発明に係る第２の原稿圧着板開閉装置を示す図である。第２の原稿圧着板開閉装置は、バネ受け部材を利用して中折れ現象を防止するものである。この第２の原稿圧着板開閉装置は、図１３〜図１８に示すように、係合手段６が、支持部材２０３に移動可能に設けられ、バネ受け部材５３と係合してバネ受け部材５３の弾性手段５（圧縮コイルスプリング５１）側への移動を防止して原稿圧着板１２の反転を阻止する係合部材２６１と、この係合部材２６１をバネ受け部材５３と係合する方向に付勢する付勢部材２６２とを備え、係合解除手段９が、支持部材２０３に移動可能に設けられ、原稿圧着板１２を閉成方向に回転させてこの原稿圧着板１２が機器本体１１の上面に載置した原稿に接触する前に係合部材２６１を移動させてこの係合部材２６１とバネ受け部材５３との係合を解除させる係合解除部材であることに特徴がある。なお、以下に第２の原稿圧着板開閉装置２００について説明するが、前記の第１の原稿圧着板開閉装置１と同一の部分には同一の名称を付しその説明を省略することがある。
【００５５】
支持部材２０３の上板には、図１９に示すように、係合部材２６１が挿入される矩形状の貫通孔２３０が設けられている。この貫通孔２３０の両側の上板２３１には、例えば頭部が没入された状態で皿ネジ２６９（図１３及び図１４参照。）が挿入されるネジ挿入孔２３６がそれぞれ設けられている。また、リフト部材２０４の上板には、図１４及び図２０に示すように、矩形状の貫通孔２４０が設けられている。この貫通孔２４０は、リフト部材２０４が支持部材２０３に重なり合わされたとき、支持部材２０３の貫通孔２３０と対向する位置であって、貫通孔２３０及び係合部材２６１がリフト部材２０４の上板２４１から目視できるように、支持部材２０３の貫通孔２３０より大きな矩形状に形成されている（図１４参照。）。
【００５６】
係合部材２６１は、図１３〜図１８及び図２１に示すように、例えば、矩形状の平板を折り曲げた略コ字状に形成されている。すなわち、係合部材２６１は、矩形状の平板の一方の端部を略９０°に上方に折り曲げると共にその他方の端部を例えば略４５°に上方に折り曲げて形成され、これら両端部がそれぞれさらに外側に略９０°折り曲げられて係止片２６１ｂとして形成されている。この係合部材２６１の一方の端部を略９０°に上方に折り曲げた部分が第１係合部２６５として形成されると共に、他方の端部を略４５°に上方に折り曲げた部分が第２係合部２６６として形成される。
【００５７】
係合部材２６１の第１係合部２６５と第２係合部２６６との間隔（略コ字部分の長さ）は、支持部材２０３の貫通孔２３０の長手方向の長さより短い例えば若干短い寸法で形成されている。係合部材２６１の係止片２６１ｂの先端部間の長さは、貫通孔２３０の長手方向の長さより長い寸法で形成されている。係合部材２６１の高さは、この係合部材２６１を支持部材２０３の上板２３１の上面から貫通孔２３０に挿入して係合部材２６１の係止片２６１ｂを上板２３１に接触させたとき、係合部材２６１が支持部材２０３内の収容部３４に突出して第１係合部２６５とバネ受け部材５３とが係合すると共に、取着部材２６３を支持部材２０３の上面に取り付けてこの支持部材２０３にリフト部材２０４を重ね合わせた状態で、第１係合部２６５と第２係合部２６６との間の平板状の基部２６１ａの外面が支持部材２０３の上板２３１の内面と略同一平面上に位置されたとき、係止片２６１ｂの裏面がリフト部材２０４の上面と略同一平面上に位置される寸法で形成されていることが好ましい。この係合部材２６１は、取着部材２６３によって支持部材２０３に移動可能に取り付けられている。
【００５８】
取着部材２６３は、図１３〜図１８及び図２２に示すように、例えば、細長の矩形状の平板の略中央部をコ字状に折り曲げた形状に形成され、支持部材２０３の上面にその幅方向に延びて取り付けられるものである。この取着部材２６３のコ字状に折り曲げた箇所がスプリングを収容する凹部２６７として形成されている。取着部材２６３の高さ（凹部２６７の高さ）は、取着部材２６３を支持部材２０３の上面に取り付けてこの支持部材２０３にリフト部材２０４を重ね合わせたとき、凹部２６７の上面がリフト部材２０４の上面と略同一平面上に位置される寸法で形成されていることが好ましい。取着部材２６３の長手方向の長さは、支持部材２０３の貫通孔２３０の幅方向の長さより長い寸法で形成されている。取着部材２６３の両端部近傍であって支持部材２０３のネジ挿入孔２３６と対向する箇所には、ネジ溝を有するネジ取付孔２６８が設けられている。
【００５９】
係合部材２６１を支持部材２０３の上板２３１の上面から第１係合部２６５がバネ受け部材５３側になるように貫通孔２３０に挿入した状態で係合部材２６１が支持部材２０３から抜け落ちないように、取着部材２６３を支持部材２０３上に取り付ける。この取付は、ネジ取付孔２６８とネジ挿入孔２３６とを孔合わせして行い、上板２３１の裏面から例えば皿ネジ２６９をそれぞれネジ挿入孔２３６に挿入してネジ取付孔２６８に螺合させ締め付けることによって、取着部材２６３が支持部材２０３上に取り付けられる。これにより、係合部材２６１が貫通孔２３０から支持部材２０３内に突出してバネ受け部材５３と係合する係合位置と、係合部材２６１がバネ受け部材５３と係合しない非係合位置との間で係合部材２６１が移動可能になっている。なお、取着部材２６３を支持部材２０３に取り付けて係合部材２６１を移動可能に支持したが、係合部材２６１を移動可能に支持できればどのように構成してもよく、また、取着部材２６３が支持部材２０３に一体的に形成されているものでもよい。
【００６０】
付勢部材２６２は、係合部材２６１をバネ受け部材５３と係合する方向、すなわち、支持部材２０３内に突出する係合位置に付勢するものである。付勢部材２６２は、例えばコンプレッションスプリング２６２ａであり、取着部材２６３の凹部２６７内に２個収容されている。なお、コンプレッションスプリング２６２ａの個数は、２個に限定されず、１個でも３個以上でもよく、また、コンプレッションスプリング内に別の小さなコンプレッションスプリングが入った２個のコンプレッションスプリングを１組又は２組以上凹部２６７内に収容するようにしてもよい。コンプレッションスプリング２６２ａの一端部は、凹部２６７の底部に当接していると共に、コンプレッションスプリング２６２ａの他端部は係合部材２６１の基部２６１ａの内面に当接しており、係合部材２６１が係合位置に付勢されるようになっている。
【００６１】
係合解除手段９は、開成状態の原稿圧着板１２を閉成方向に回転させてこの原稿圧着板１２が機器本体１１の上面に載置した原稿に接触する前に係合部材２６１を係合位置から非係合位置に移動させてこの係合部材２６１とバネ受け部材５３との係合を解除させるものであり、特に限定されないが、例えば、カムスライダー５２である。すなわち、カムスライダー５２は、原稿圧着板１２の所定の開成角度範囲外（リフト動作をし得る角度範囲）において係合手段６を解除させて原稿圧着板１２の反転を許容させるものでもある。例えば、原稿圧着板１２が閉成方向に回転してその回動角度が略４５°になると、支持部材２０３に対してカムスライダー５２が後部側から前部側（バネ受け部材５３側）に摺動しつつカムスライダー５２の前端部が支持部材２０３の貫通孔２３０から支持部材２０３内から突出している係合部材２６１の第２係合部２６６に接触する。さらに原稿圧着板１２が閉成方向に回転すると、このカムスライダー５２が第２係合部２６６を乗り上げつつ移動して係合部材２６１をコンプレッションスプリング２６２ａの付勢力に抗してリフト部材２０４側に移動させて貫通孔２３０から突出する係合部材２６１の長さを短くし、原稿圧着板１２が機器本体１１の上面に載置した原稿に接触するとき又は接触する前に、カムスライダー５２が係合部材２６１上に乗り上げて係合部材２６１の基部２６１ａの外面と支持部材２０３の上板２３１の裏面とが略同一平面上に位置されて係合部材２６１が非係合位置に位置され、係合部材２６１とバネ受け部材５３との係合が解除されて支持部材２０３に対して第２ヒンジピン１６を軸にリフト部材２０４が回動し得るように構成されている。係合部材２６１の形状・長さやカムスライダー５２の長さ等を変えることによりリフト部材２０４が回動し得る回動角度を任意の角度に設定することができる。
【００６２】
このように構成しても、第２の原稿圧着板開閉装置２００は、前記の第１の原稿圧着板開閉装置１と同じ作用効果を奏する。すなわち、原稿圧着板１２は、機器本体１１が使用されていない状態では、図１３に示すように、機器本体１１のコンタクトガラスに密着されている。コンタクトガラス上に原稿を載置するには、まず、リフト部材２０４が取り付けられている箇所とは反対側の原稿圧着板１２の端部又はその近傍等に設けられている把持部を持って、原稿圧着板１２を上方に持ち上げる。すなわち、原稿圧着板１２を第１ヒンジピン１５を軸にのみ回転させてコンタクトガラス面を外部に露出させる。このように原稿圧着板１２を回転させるとき、原稿圧着板１２は、圧縮コイルスプリング５１の付勢力によって開成方向に回転付勢されているので、重量を感じさせることなく開成方向に回転することができる。
【００６３】
また、閉成状態では、図１４に示すように、係合部材２６１の基部２６１ａがカムスライダー５２の外周に当接して係合部材２６１が貫通孔２３０から支持部材２０３内に突出していないので、係合部材２６１とバネ受け部材５３とが係合することがない状態である。この閉成状態から原稿圧着板１２が開成方向に回転すると、作動ピン１８と受圧ピン１７との間隔がその回転に伴って広くなると共に、第１ヒンジピン１５より受圧ピン１７が下方に位置されているので、支持部材２０３に対してカムスライダー５２が後方側へと摺動することになる。このようにカムスライダー５２が移動すると、係合部材２６１の基部２６１ａがカムスライダー５２の外周に当接していた状態からカムスライダー５２の先端部が係合部材２６１の第２係合部２６６に当接しはじめ（図１５参照。）、カムスライダー５２が後方側へと移動するに連れて、カムスライダー５２の先端部が接触する第２係合部２６６の位置が徐々に係止片２６１ｂ側へと移動する。この移動に伴って、係合部材２６１は、コンプレッションスプリング２６２ａの付勢力により徐々に貫通孔２３０から支持部材２０３内へと突出し、そして、カムスライダー５２が係合部材２６１から離間すると、両係止片２６１ｂが支持部材２０３の外面に接触した状態で係合部材２６１が支持部材２０３内に突出して係合部材２６１とバネ受け部材５３とが係合し得る状態である係合位置に位置される（図１７参照。）。従って、係合部材２６１とバネ受け部材５３とは閉成状態では係合されないが、原稿圧着板１２が開成方向に回転する途中で係合部材２６１とバネ受け部材５３とが係合する位置に係合部材２６１が移動する。
【００６４】
露出したコンタクトガラス面上に原稿を載置した後、持ち上げた原稿圧着板１２を降ろす。すなわち、原稿圧着板１２をコンタクトガラスと接触する閉成方向に第１ヒンジピン１５を軸に回転させて閉成状態にする。このように、原稿圧着板１２を回転させる場合、係合部材２６１とバネ受け部材５３とが係合してバネ受け部材５３が圧縮コイルスプリング５１側へ移動することがないので、リフト部材２０４は支持部材２０３に対して第２ヒンジピン１６を軸に回転することがないロック状態となって支持部材２０３と共に動作することになる。よって、リフト部材２０４（原稿圧着板１２）は支持部材２０３と共に第１ヒンジピン１５を軸にのみ回転して、中折れ現象が発生することなく原稿圧着板１２を回転させることができる。
【００６５】
また、原稿圧着板１２の回動角度が例えば略２０°以下になると、原稿圧着板１２の重量による原稿圧着板１２の下方への回転する力が圧縮コイルスプリング５１の付勢力より強くなるので、原稿圧着板１２は下方に移動する。原稿圧着板１２の回動角度が特定の回動角度例えば略１０°になると、ダンパー装置のピストンロッドの先端がカムスライダー５２の内面に当接して、ピストンロッドがシリンダ内に移動してピストンロッドの露出長が短くなり、原稿圧着板１２の回転速度が低減される。その結果、原稿圧着板１２の回転速度がダンパー装置によって制御されるので、原稿圧着板１２が勢いよくコンタクトガラスに衝突することがない。
【００６６】
原稿圧着板１２が閉成状態になると、原稿が薄い紙である場合には、原稿圧着板１２によって原稿をコンタクトガラス上から浮き上がることなく確実にコンタクトガラスに密着させることができるので、原稿を良好に複写等することができる。すなわち、原稿圧着板１２とコンタクトガラスとの間に光が入らないように原稿圧着板１２がコンタクトガラスに密着されて、原稿を良好に複写等することができる。
【００６７】
また、原稿が本のように厚さが厚い場合、原稿圧着板１２を閉成方向に回転させると、この回転途中で、カムスライダー５２が係合部材２６１をコンプレッションスプリング２６２ａの付勢力に抗してリフト部材２０４側に移動させるので、原稿圧着板１２が原稿に接触するとき又は接触する前に、係合部材２６１とバネ受け部材５３との係合が解除されて支持部材２０３に対して第２ヒンジピン１６を軸にリフト部材２０４が回動し得る状態となる。
【００６８】
すなわち、開成状態では、係合部材２６１とバネ受け部材５３とが係合しているか係合し得る状態である（図１７参照。）が、原稿圧着板１２が第１ヒンジピン１５を軸に閉成方向に回転すると、受圧ピン１７が第１ヒンジピン１５より下方でかつ前方に位置されているので、作動ピン１８と受圧ピン１７との間隔がその回転に伴って狭くなって、支持部材２０３に対してカムスライダー５２が前方側（バネ受け部材５３）へと摺動することになる。このカムスライダー５２の移動により、まず、カムスライダー５２の前端部が支持部材２０３の貫通孔２３０から支持部材２０３内に突出している係合部材２６１の第２係合部２６６の係止片２６１ｂの近傍に接触し（図１６参照。）、その後、このカムスライダー５２の前端部が第２係合部２６６上を基部２６１ａ側へ移動すると共に、係合部材２６１がコンプレッションスプリング２６２ａの付勢力に抗してリフト部材２０４側に移動して貫通孔２３０から突出する係合部材２６１の長さが短かくなる。そして、カムスライダー５２の前端部が第２係合部２６６と基部２６１ａとの境に至ると（図１５参照。）、係合部材２６１が貫通孔２３０内に没入する。すなわち、係合部材２６１の基部２６１ａの外面と支持部材２０３の上板２３１の裏面とが略同一平面上に位置されて、係合部材２６１が非係合位置に位置される。これにより、バネ受け部材５３は、カムスライダー５２側に移動可能な状態になり、係合部材２６１とバネ受け部材５３との係合が解除された状態となる。さらにカムスライダー５２が移動すると、カムスライダー５２は、係合部材２６１上に乗り上がり係合部材２６１上を移動する。すなわち、カムスライダー５２の外周に係合部材２６１の基部２６１ａが当接した状態でカムスライダー５２が移動する。
【００６９】
このため、係合部材２６１が非係合位置に位置された後に原稿の支持部材２０３側の端部又はその近傍に原稿圧着板１２の支持部材２０３の近傍の一部が接触して、原稿１４の支持部材２０３側の端部とは反対側の端部と原稿圧着板１２との間に空間が形成される。すなわち、把持部側の端部の原稿圧着板１２は浮いた状態となる。その浮いている原稿圧着板１２の例えば把持部側の端部近傍をコンタクトガラス側に押圧したり原稿圧着板１２の自重により、作動ピン１８がバネ受け部材５３をカムスライダー５２側に押圧して圧縮コイルスプリング５１の付勢力に抗してバネ受け部材５３がカムスライダー５２側に支持部材２０３内を移動してバネ受け部材５３の外周に係合部材２６１の基部２６１ａの外面が位置されると共に、原稿圧着板１２（リフト部材２０４）が第２ヒンジピン１６を軸に回転する。つまり、原稿の上部を覆うように原稿圧着板１２が移動する。例えば、その原稿の上部が平坦面である場合には、この上部に原稿圧着板１２が面接触する。このときの、本発明に係る原稿圧着板開閉装置２００は、図１８に示す状態となる。その結果、厚さが厚い原稿が安定してコンタクトガラスに密着されることになる。よって、原稿圧着板１２は、原稿の厚さに関係なく原稿を安定してコンタクトガラスに密着することができ、原稿を良好に複写等することができる。
【００７０】
したがって、本発明に係る第２の原稿圧着板開閉装置２００及び事務機器１０は、中折れ現象が発生することなく原稿圧着板１２を回転させることができると共に、原稿の厚さに関係なく原稿を安定して機器本体１１の上面に密着させることができ、複写等を良好に行える。
【００７１】
また、係合部材２６１が非係合位置に位置されているときは、例えば、図１４（ａ）に示すように、カムスライダー５２の外周に係合部材２６１の基部２６１ａの外面が当接していて、係合部材２６１の係止片２６１ｂの裏面がリフト部材２０４の上面と略同一平面上に位置されると共に、取着部材２６３を支持部材２０３の上面に取り付けたときの取着部材２６３の凹部２６７の上面がリフト部材２０４の上面と略同一平面上に位置されるので、支持部材２０３にリフト部材２０４を重ね合わせたとき、係合部材２６１の係止片２６１ｂ及び取着部材２６３の凹部２６７がリフト部材２０４の上板２４１の上面から突出することがない。その結果、リフト部材２０４を原稿圧着板１２に係止片２６１ｂや凹部２６７が邪魔になることなく取り付けることができる。また、係合部材２６１が係合位置から非係合位置に移動するとき、係合部材２６１の係止片２６１ｂがリフト部材２０４の上面から突出して原稿圧着板１２等にあたることがないので、係合部材２６１の移動を良好に行える。
【産業上の利用可能性】
【００７２】
以上説明したように本発明に係る原稿圧着板開閉装置は、原稿圧着板の所定の開成角度範囲内において当該原稿圧着板の反転を阻止する係合手段と、原稿圧着板の所定の開成角度範囲外において係合手段を解除させて原稿圧着板の反転を許容する係合解除手段とを備えたので、中折れ現象が発生することなく原稿圧着板を開閉させることができることから、特に複写機、印刷機、ファクシミリ、スキャナー等の事務機器の原稿圧着板開閉装置として好適に用いられるものである。
【図面の簡単な説明】
【００７３】
【図１】本発明に係る第１の原稿圧着板開閉装置を備えた事務機器の一例を示し、原稿圧着板を閉じた状態を示す概略側面図である。
【図２】本発明に係る第１の原稿圧着板開閉装置を備えた事務機器の一例を示し、厚物の原稿を介して原稿圧着板を閉じた状態を示す概略側面図である。
【図３】本発明に係る第１の原稿圧着板開閉装置の一例を示す図で、（ａ）は閉成状態を示す平面図、（ｂ）は閉成状態を示す側面図、（ｃ）は略４５°開いた状態を示す側面図、（ｄ）は略９０°開いた状態を示す側面図である。
【図４】本発明に係る係合手段の係合状態を示す断面図で、（ａ）は閉成状態を示す図、（ｂ）は係合が解除された状態を示す図、（ｃ）は略４５°開いた状態を示す側面図、（ｄ）は略９０°開いた状態を示す側面図である。
【図５】本発明に係る支持部材の一例を示す図で、（ａ）は側面図、（ｂ）は背面図、（ｃ）は底面図である。
【図６】本発明に係るリフト部材の一例を示す図で、（ａ）は側面図、（ｂ）は背面図、（ｃ）は平面図である。
【図７】本発明に係る第１取付片の一例を示す図で、（ａ）は斜視図、（ｂ）は平面図、（ｃ）は側面図である。
【図８】本発明に係る第２取付片の一例を示す図で、（ａ）は斜視図、（ｂ）は側面図である。
【図９】本発明に係るフック部材の一例を示す斜視図である。
【図１０】本発明に係る係合手段の他の例を示す図で、（ａ）は側面図、（ｂ）は平面図である。
【図１１】本発明に係るリフト部材の他の例を示す図で、（ａ）は側面図、（ｂ）は背面図、（ｃ）は平面図である。
【図１２】本発明に係るフック部材の他の例を示す図で、（ａ）は平面図、（ｂ）は左側面図、（ｃ）は正面図、（ｄ）は右側面図である。
【図１３】本発明に係る第２の原稿圧着板開閉装置を備えた事務機器の一例を示し、原稿圧着板を閉じた状態を示す概略側面図である。
【図１４】本発明に係る第２の原稿圧着板開閉装置の一例を示す図で、（ａ）は側面図、（ｂ）は平面図である。
【図１５】本発明に係る第２の原稿圧着板開閉装置の一例であって係合部材とバネ受け部材との係合が解除された状態を示す一部断面側面図である。
【図１６】本発明に係る第２の原稿圧着板開閉装置の一例であって係合部材にスライダーが接触した状態を示す一部断面側面図である。
【図１７】本発明に係る第２の原稿圧着板開閉装置の一例であって開成状態を示す一部断面側面図である。
【図１８】本発明に係る第２の原稿圧着板開閉装置の一例であって厚物の原稿を介して原稿圧着板を閉じた状態を示す一部断面側面図である。
【図１９】本発明に係る第２の支持部材の一例を示す図で、（ａ）は平面図、（ｂ）は側面図である。
【図２０】本発明に係る第２のリフト部材の一例を示す図で、（ａ）は平面図、（ｂ）は側面図である。
【図２１】本発明に係る係合部材の一例を示す図で、（ａ）は平面図、（ｂ）は正面図である。
【図２２】本発明に係る取付材の一例を示す図で、（ａ）は平面図、（ｂ）は側面図、（ｃ）は正面図である。
【符号の説明】
【００７４】
１  第１の原稿圧着板開閉装置
２  取付部材
３  支持部材
４  リフト部材
５  弾性手段
６  係合手段
７  係合受部
８  係合部
９  係合解除手段
１０  事務機器
１１  機器本体
１２  原稿圧着板
１５  第１ヒンジピン
１６  第２ヒンジピン
１７  受圧ピン
１８  作動ピン
５１  圧縮コイルスプリング
５２  カムスライダー（スライダー）
５３  バネ受け部材
６１  取付片
６２  取付片
６３  シャフト
６５  トーションスプリング
８０  フック部材
８１  回動部
８２  フック部
２００  第２の原稿圧着板開閉装置
２０３  支持部材
２０４  リフト部材
２６１  係合部材
２６２  付勢部材
２６３  取着部材
【図１】
2008257167.tif 000003
【図２】
2008257167.tif 000004
【図３】
2008257167.tif 000005
【図４】
2008257167.tif 000006
【図５】
2008257167.tif 000007
【図６】
2008257167.tif 000008
【図７】
2008257167.tif 000009
【図８】
2008257167.tif 000010
【図９】
2008257167.tif 000011
【図１０】
2008257167.tif 000012
【図１１】
2008257167.tif 000013
【図１２】
2008257167.tif 000014
【図１３】
2008257167.tif 000015
【図１４】
2008257167.tif 000016
【図１５】
2008257167.tif 000017
【図１６】
2008257167.tif 000018
【図１７】
2008257167.tif 000019
【図１８】
2008257167.tif 000020
【図１９】
2008257167.tif 000021
【図２０】
2008257167.tif 000022
【図２１】
2008257167.tif 000023
【図２２】
2008257167.tif 000024